(57)【要約】【課題】  ユーザ操作を必要とせずに、利用禁止区域において無線発着信の抑止を可能とする携帯端末を提供する。【解決手段】  基地局との間で無線信号の送受信を行う第１の無線手段１０２と、第１の無線手段１０２を介して基地局との同期を取るためのタイミング信号を生成するタイマ手段１０４と、第１の無線手段１０２とタイマ手段１０４を制御する制御手段１０３とを備える携帯端末１であって、第１の無線手段１０２の無線発着信抑止信号及び無線発着信抑止解除信号を受信する第２の無線手段１０６を設け、制御手段１０３は、第２の無線手段１０６で受信した無線発着信抑止信号又は無線発着信抑止解除信号及びタイマ手段１０４で生成されるタイミング信号に従い、第１の無線手段１０２を制御して、基地局との同期処理タイミングを変更し、無線発着信抑止又は無線発着信抑止解除する。【選択図】        図１
2005268865.tif 000002
【特許請求の範囲】
【請求項１】
基地局との間で無線信号の送受信を行う第１の無線手段と、該第１の無線手段を介して基地局との同期を取るためのタイミング信号を生成するタイマ手段と、前記第１の無線手段と前記タイマ手段を制御する制御手段とを備える携帯端末であって、
前記第１の無線手段の無線発着信抑止信号及び無線発着信抑止解除信号を受信する第２の無線手段を設け、前記制御手段は、前記第２の無線手段で受信した無線発着信抑止信号又は無線発着信抑止解除信号及び前記タイマ手段で生成されるタイミング信号に従い、前記第１の無線手段を制御して、基地局との同期処理タイミングを変更し、無線発着信抑止又は無線発着信抑止解除することを特徴とする携帯端末。
【請求項２】
請求項１記載の携帯端末において、
上記制御手段は、上記第２の無線手段で第１の無線手段の無線発着信抑止信号を受信した後、該第２の無線手段で無線発着信抑止解除信号を受信するまで、基地局との同期処理を行わないように制御することを特徴とする携帯端末。
【請求項３】
基地局との間で無線信号の送受信を行う第１の無線手段と、該第１の無線手段を介して基地局との同期を取るためのタイミング信号を生成するタイマ手段と、前記第１の無線手段と前記タイマ手段を制御する制御手段とを備える携帯端末であって、
前記第１の無線手段の無線発着信抑止信号を受信する第２の無線手段を設け、前記制御手段は、前記第２の無線手段での無線発着信抑止信号の受信状態及び前記タイマ手段で生成されるタイミング信号に従い、前記第１の無線手段を制御し、基地局との同期処理タイミングを変更し、無線発着信抑止又は無線発着信抑止解除することを特徴とする携帯端末。
【請求項４】
請求項３記載の携帯端末において、
上記制御手段は、上記第２の無線手段で無線発着信抑止信号を受信している間は、基地局との同期処理を行わないように制御することを特徴とする携帯端末。
【請求項５】
基地局との間で無線信号の送受信を行う第１の無線手段と、該第１の無線手段を介して基地局との同期を取るためのタイミング信号を生成するタイマ手段と、前記第１の無線手段と前記タイマ手段を制御する制御手段とを備える携帯端末であって、
前記第１の無線手段は、自己の無線発着信抑止信号を受信し、前記制御手段は、前記第１の無線手段での無線発着信抑止信号の受信状況及び前記タイマ手段で生成されるタイミング信号に従い、前記第１の無線手段を制御し、基地局との同期処理タイミングを変更し、無線発着信抑止又は無線発着信抑止解除することを特徴とする携帯端末。
【請求項６】
請求項１〜５のいずれか１項に記載の携帯端末において、
上記制御手段は、無線発着信抑止状態であることを無線送受信圏外状態と区別してユーザに通知する制御を行うことを特徴とする携帯端末。
【発明の詳細な説明】
【技術分野】
【０００１】
本発明は、携帯端末であり、特に利用禁止区域における携帯端末の無線発着信抑止方法に関する。
【背景技術】
【０００２】
携帯電話の使用が規制される場所において、電源切断指示信号の受信により、無線部の電源を切断する発明が提案されている（例えば、特許文献１参照）。
【特許文献１】特開２００２−１８６０２１号公報
【発明の開示】
【発明が解決しようとする課題】
【０００３】
上記従来例では、無線部の電源を切ったとしても、ベースバンド処理部が基地局からの信号を受信しようとして動作を続けるため、無駄な電力を消費する。
【０００４】
本発明の目的は、ユーザ操作を必要とせずに、利用禁止区域において無線発着信の抑止を可能とする携帯端末を提供することにある。
【課題を解決するための手段】
【０００５】
上記目的を達成するために、本発明においては、基地局との間で無線信号の送受信を行う無線手段１と、前記無線手段１を介して基地局との同期を取るためのタイミングを生成するタイマ手段と、前記無線手段１と前記タイマ手段を制御する制御手段を備える携帯端末であって、携帯端末の無線発着信抑止信号及び無線発着信抑止解除信号を受信するための無線手段２を設け、前記制御手段は、前記無線手段２での信号受信状況及び前記タイマ手段で生成されるタイミング信号に従い前記無線手段１を制御し、基地局との同期処理タイミングを変更する構成とする。
【０００６】
すなわち、本発明は、基地局との間で無線信号の送受信を行う第１の無線手段と、該第１の無線手段を介して基地局との同期を取るためのタイミング信号を生成するタイマ手段と、前記第１の無線手段と前記タイマ手段を制御する制御手段とを備える携帯端末であって、前記第１の無線手段の無線発着信抑止信号及び無線発着信抑止解除信号を受信する第２の無線手段を設け、前記制御手段は、前記第２の無線手段で受信した無線発着信抑止信号又は無線発着信抑止解除信号及び前記タイマ手段で生成されるタイミング信号に従い、前記第１の無線手段を制御して、基地局との同期処理タイミングを変更し、無線発着信抑止又は無線発着信抑止解除する携帯端末である。
【０００７】
また、本発明における上記制御手段は、上記第２の無線手段で第１の無線手段の無線発着信抑止信号を受信した後、該第２の無線手段で無線発着信抑止解除信号を受信するまで、基地局との同期処理を行わないように制御する携帯端末である。
【０００８】
そして、本発明は、基地局との間で無線信号の送受信を行う第１の無線手段と、該第１の無線手段を介して基地局との同期を取るためのタイミング信号を生成するタイマ手段と、前記第１の無線手段と前記タイマ手段を制御する制御手段とを備える携帯端末であって、前記第１の無線手段の無線発着信抑止信号を受信する第２の無線手段を設け、前記制御手段は、前記第２の無線手段での無線発着信抑止信号の受信状態及び前記タイマ手段で生成されるタイミング信号に従い、前記第１の無線手段を制御し、基地局との同期処理タイミングを変更し、無線発着信抑止又は無線発着信抑止解除する携帯端末である。
【０００９】
更に、本発明における上記制御手段は、上記第２の無線手段で無線発着信抑止信号を受信している間は、基地局との同期処理を行わない携帯端末である。
【００１０】
また、本発明は、基地局との間で無線信号の送受信を行う第１の無線手段と、該第１の無線手段を介して基地局との同期を取るためのタイミング信号を生成するタイマ手段と、前記第１の無線手段と前記タイマ手段を制御する制御手段とを備える携帯端末であって、前記第１の無線手段は、自己の無線発着信抑止信号を受信し、前記制御手段は、前記第１の無線手段での無線発着信抑止信号の受信状況及び前記タイマ手段で生成されるタイミング信号に従い、前記第１の無線手段を制御し、基地局との同期処理タイミングを変更し、無線発着信抑止又は無線発着信抑止解除する携帯端末である。
【００１１】
そして、本発明における上記制御手段は、無線発着信抑止状態であることを無線送受信圏外状態と区別してユーザに通知する制御を行う携帯端末である。
【発明の効果】
【００１２】
本発明によれば、ユーザ操作を必要とせずに、利用禁止区域において無線発着信の抑止を可能とする携帯端末を得ることが出来る。
【発明を実施するための最良の形態】
【００１３】
本発明を実施するための最良の形態を説明する。
携帯端末は、待受け時も常に基地局との間で交信を行なっている。これは、携帯端末がどのエリアにいるのかを確認したり、電話の呼び出しがかかっていないかを確認したりする作業である。これにより、呼び出しがあった場合には、どこにいても着信できるという携帯端末の仕組みが成立している。
【００１４】
この携帯端末と基地局とのやりとりは、数秒に１回の割りで行われており、こうした信号を基地局から受け取るとき、基地局との交信タイミングにあわせてシステムを「同期」させ、その瞬間に情報を処理している。
【００１５】
本発明において、上記のような基地局と携帯端末との間で行われるやり取りのことを「同期」と表現する。
【００１６】
以下、本発明の携帯端末の第１の実施の形態について、図面を用いて説明する。本実施の形態の携帯端末の動作概念を図面により説明する。図１は本実施の形態の携帯端末の無線発着信抑止方法の一例の概略構成図であり、携帯端末１は、アンテナ１０１、無線部（第１の無線手段）１０２、制御部１０３、タイマ１０４、アンテナ１０５、無線発着信抑止／抑止解除信号受信部（第２の無線手段）１０６から構成される。
【００１７】
制御部１０３は、図１には示されていない無線発着信抑止信号送信部から送信された無線発着信抑止信号を受信しているか否か（無線発着信抑止場所か否か）を、無線発着信抑止／抑止解除信号受信部１０６からの出力信号により判定する。
【００１８】
通常動作時、アンテナ１０５では何も受信しておらず、無線発着信抑止／抑止解除信号受信部１０６からは、抑止信号受信無信号が出力されている（もしくは信号が出力されていないとすることも可）。制御部１０３は、この信号を受け、タイマ１０４にタイマ値をセットする。タイマ１０４は、セットされたタイマ値に基づいて動作をし、タイマが満了した時点で、制御部１０３にタイマ満了を通知する。制御部１０３は、タイマ満了通知により無線部１０２を制御し、アンテナ１０１を介して、図１には示されていない基地局との間で同期処理を行う。この後、再び制御部１０３は、無線発着信抑止／抑止解除信号受信部１０６からの出力信号により、無線発着信抑止状態か否かを判定する。制御部１０３は、無線発着信抑止状態でないと判断すると、タイマ１０４にタイマ値をセットし、上記通常動作を繰り返す。これら一連の動作により、図１には示されていない基地局と、携帯端末１との間で定期的な同期処理が行われることを可能とする。
【００１９】
アンテナ１０５で、図１には示されていない無線発着信抑止信号送信部から送信された無線発着信抑止信号を受信すると、無線発着信抑止状態に遷移する。アンテナ１０５での無線発着信抑止信号受信を受けて、無線発着信抑止／抑止解除信号受信部１０６は、抑止信号受信有信号を出力する。制御部１０３はこの信号を受けると、無線発着信抑止／抑止解除信号受信部１０６からの抑止解除信号受信（もしくは信号が出力されていない状態の検出でも可）待ちの状態になる。この間、制御部１０３は、無線発着信抑止／抑止解除信号受信部１０６からの無線発着信抑止解除信号を待ち続けるため、図１には示されていない基地局と、携帯端末１との間の同期処理が停止する。アンテナ１０５で、無線発着信抑止解除信号を受信すると、無線発着信抑止／抑止解除信号受信部１０６は、抑止解除信号受信有信号を出力する（もしくは信号が出力されていないでも可）。制御部１０３は、この信号を受けて、タイマ１０４にタイマ値をセットする。タイマ１０４は、セットされたタイマ値に基づいて動作をし、タイマが満了した時点で、制御部１０３にタイマ満了を通知する。制御部１０３は、タイマ満了通知により無線部１０２を制御し、アンテナ１０１を介して、図１には示されていない基地局との間で同期処理を行う。この後、再び制御部１０３は、無線発着信抑止／抑止解除信号受信部１０６からの出力信号により、無線発着信抑止状態か否かを判定する。制御部１０３は、無線発着信抑止状態でないと判断すると、タイマ１０４にタイマ値をセットし、上記通常動作を繰り返す。これら一連の動作により、図１には示されていない基地局と、携帯端末１との間で、無線発着信抑止信号受信後、無線発着信抑止解除信号を受信するまで、同期処理を停止し、無線発着信抑止解除信号受信後には、再び、定期的な同期処理が行われることを可能とする。
【００２０】
上記において、無線発着信抑止／抑止解除状態は、不揮発メモリにて状態を管理する構成でも、無線発着信抑止／抑止解除状態の変化による、割り込み処理でも構わない。
【００２１】
また、タイマ設定に関して、毎回タイマ値をセットするワンショットタイマに関して説明したが、周期タイマでも同様の効果を得ることが出来る。
【００２２】
次に第１の実施の形態の携帯端末における動作フローの一例を、図２のフローチャートを用いて説明する。ステップＳ１０１にて動作が開始する。ステップＳ１０２にて制御部１０３は、無線発着信抑止／抑止解除信号受信部１０６からの出力信号により、無線発着信抑止状態か否かを判定する。無線発着信抑止状態である場合にはステップＳ１０３へ、無線発着信抑止状態でない場合にはステップＳ１０４へ進む。
【００２３】
ステップＳ１０３にて、制御部１０３は、無線発着信抑止／抑止解除信号受信部１０６からの無線発着信抑止解除信号（もしくは何も出力されていない状態検出でも可）を待つ。無線発着信抑止解除信号受信するまで、Ｓ１０３にてループし、無線発着信抑止解除信号受信後、ステップＳ１０４へ進む。
【００２４】
ステップＳ１０４にて制御部１０３は、タイマ１０４にタイマ値をセットする。ステップＳ１０５にて、制御部１０３は、タイマ１０４からのタイマ満了通知を待つ。タイマ満了通知を受信するまでＳ１０５にてループし、タイマ満了通知受信後、ステップＳ１０６へ進む。
【００２５】
ステップＳ１０６にて制御部１０３は、無線部１０２を制御し、アンテナ１０１を介して、図１には示されていない基地局との間で同期処理を行い、ステップＳ１０２へと進み、動作が繰り返される。これら一連の動作により、図１には示されていない基地局と、携帯端末１との間で定期的な同期処理が行われることを可能とする。
【００２６】
上記の制御を用いると、無線発着信抑止信号を受信後、無線発着信抑止解除信号を受信するまで、携帯端末１と基地局との間の同期処理が停止するため、ユーザの手を煩わすことなく、利用禁止区域において、携帯端末の無線発着信を抑止することが出来る。
【００２７】
第１の実施の形態の携帯端末における運用イメージを図３に、同期処理の概念図を図４に示す。図３、図４において、図１と同様の構成要素には同符号を付してあり、２は無線発着信抑止信号送信部、３は無線発着信抑止解除信号送信部、４は同期処理タイミング１、５は同期処理タイミング２、６は同期処理タイミング３、７は同期処理タイミング４、８は同期処理タイミング５、である。
【００２８】
病院、航空機等、無線発着信を行うことにより、機器に影響を及ぼす施設の入口に、無線発着信抑止信号送信部２を設置し、出口に無線発着信抑止解除信号送信部３を設置する。無線発着信抑止信号送信部２は、永続的、ある一定間隔毎の断続的、もしくは携帯端末を認識したときのいずれかの方法で、無線発着信抑止信号を送信する。無線発着信抑止解除信号送信部３は、永続的、ある一定間隔毎の断続的、もしくは携帯端末を認識したときのいずれかの方法で、無線発着信抑止解除信号を送信する。
【００２９】
携帯端末１は、通常動作時タイマ値に従い、図３には示されていない基地局との間で、定期的な同期処理を行っている。（図４、同期処理タイミング１（４）、同期処理タイミング２（５）、同期処理タイミング３（６））
【００３０】
携帯端末１は、施設の入口に近付くことにより、無線発着信抑止信号送信部２からの無線発着信抑止信号を受信し、無線発着信抑止状態に遷移し、同期処理を停止する。（図４、同期処理タイミング３（６）から同期処理タイミング４（７）の間）
【００３１】
携帯端末１は、施設の出口にて、無線発着信抑止解除信号送信部３からの無線発着信抑止解除信号を受信し、無線発着信抑止解除状態に遷移し、同期処理を再開する。（図４、同期処理タイミング４（７）、同期処理タイミング５（８））
【００３２】
上記構成により、無線発着信を行うことにより、機器に影響を及ぼす施設内にて、ユーザの手を煩わすことなく、無線発着信を抑止することが可能となる。また、携帯端末における、無線発着信機能のみを抑止しているため、メール作成等のアプリケーションは問題なく使用することが出来る。
【００３３】
次に第２の実施の形態の携帯端末について、図５を用いて説明する。図５は本実施の形態の携帯端末とその着信通知方法の一例の概略構成図であり、図５において図１と同様の構成要素には同符号を付してあり、１０７は無線発着信抑止信号受信部である。
【００３４】
制御部１０３は、図５には示されていない無線発着信抑止信号送信部から送信された、無線発着信抑止信号を受信しているか否か（無線発着信抑止場所か否か）を、無線発着信抑止信号受信部（第２の無線手段）１０７からの出力信号により判定する。
【００３５】
通常動作時、アンテナ１０５では無線発着信抑止信号を受信しておらず、無線発着信抑止信号受信部１０７からは、抑止信号受信無信号が出力されている（もしくはなにも出力されていないでも可）。制御部１０３はこの信号を受けて、タイマ１０４にタイマ値をセットする。タイマ１０４は、セットされたタイマ値に基づいて動作をし、タイマが満了した時点で、制御部１０３にタイマ満了を通知する。制御部１０３は、タイマ満了通知により無線部（第１の無線手段）１０２を制御し、アンテナ１０１を介して、図５には示されていない基地局との間で同期処理を行う。この後、再び制御部１０３は、無線発着信抑止信号受信部１０７からの出力信号により、無線発着信抑止状態か否かを判定する。制御部１０３は、無線発着信抑止状態でないと判断すると、タイマ１０４にタイマ値をセットし、上記通常動作を繰り返す。これら一連の動作により、図５には示されていない基地局と、携帯端末１との間で定期的な同期処理が行われることを可能とする。なお、無線発着信抑止信号受信部（第２の無線手段）１０７は、無線部（第１の無線手段）１０２が兼ねるようにすることも可能である。
【００３６】
アンテナ１０５で、図５には示されていない無線発着信抑止信号送信部から送信された、無線発着信抑止信号を受信すると、無線発着信抑止状態に遷移する。
【００３７】
アンテナ１０５での無線発着信抑止信号受信を受けて、無線発着信抑止信号受信部１０７は、抑止信号受信有信号を出力する。制御部１０３はこの信号を受けると、無線発着信抑止信号受信部１０７からの抑止信号無信号（もしくは信号が出力されていない状態検出でも可）待ちの状態になる。この間、制御部１０３は、無線発着信抑止信号受信部１０７からの抑止信号無信号を待ち続けるため、図５には示されていない基地局と、携帯端末１との間の同期処理が停止する。アンテナ１０５で、無線発着信抑止信号を受信しなくなる（無線発着信抑止信号受信圏内から離れる）と、無線発着信抑止信号受信部１０７は、無線発着信抑止信号受信なし信号を出力する（もしくは何も出力されていないでも可）。制御部１０３はこの信号を受けて、タイマ１０４にタイマ値をセットする。タイマ１０４は、セットされたタイマ値に基づいて動作をし、タイマが満了した時点で、制御部１０３にタイマ満了を通知する。制御部１０３は、タイマ満了通知により無線部１０２を制御し、アンテナ１０１を介して、図５には示されていない基地局との間で同期処理を行う。この後、再び制御部１０３は、無線発着信抑止信号受信部１０７からの出力信号により、無線発着信抑止状態か否かを判定する。制御部１０３は、無線発着信抑止状態でないと判断すると、タイマ１０４にタイマ値をセットし、上記通常動作を繰り返す。これら一連の動作により、図５には示されていない基地局と、携帯端末１との間で、無線発着信抑止信号受信後、無線発着信抑止解除信号を受信するまで、同期処理を停止し、無線発着信抑止解除信号受信後には再び、定期的な同期処理が行われることを可能とする。
【００３８】
上記において、無線発着信抑止／抑止解除状態は、不揮発メモリにて状態を管理する構成でも、無線発着信抑止／抑止解除状態の変化による、割り込み処理でも構わない。
【００３９】
また、タイマ設定に関して、毎回タイマ値をセットするワンショットタイマに関して説明したが、周期タイマでも同様の効果を得ることが出来る。
【００４０】
次に第２の本実施の形態の携帯端末における動作フローの一例を、図６のフローチャートを用いて説明する。ステップＳ１０１にて動作が開始する。ステップＳ１０７にて制御部１０３は、無線発着信抑止信号受信部１０７からの出力信号により、無線発着信抑止状態か否かを判定する。無線発着信抑止状態である場合には、無線発着信抑止信号を受信しなくなるまで（無線発着信抑止状態でなくなるまで）Ｓ１０７にてループする。無線発着信抑止状態でない場合には、ステップＳ１０４へ進む。
【００４１】
ステップＳ１０４にて制御部１０３は、タイマ１０４にタイマ値をセットする。ステップＳ１０５にて制御部１０３は、タイマ１０４からのタイマ満了通知を待つ。タイマ満了通知を受信するまでＳ１０５にてループし、タイマ満了通知受信後、ステップＳ１０６へ進む。
【００４２】
ステップＳ１０６にて制御部１０３は、無線部１０２を制御し、アンテナ１０１を介して、図５には示されていない基地局との間で同期処理を行い、ステップＳ１０７へと進み、動作が繰り返される。これら一連の動作により、図５には示されていない基地局と、携帯端末１との間で定期的な同期処理が行われることを可能とする。
【００４３】
上記の制御を用いると、無線発着信抑止信号を受信中は、携帯端末１と基地局との間の同期処理が停止するため、ユーザの手を煩わすことなく、利用禁止区域において、携帯端末の無線発着信を抑止することが出来る。
【００４４】
第２の実施の形態の携帯端末における運用イメージを図７に示す。図７において図５と同様の構成要素には同符号を付してあり、９は無線発着信利用禁止区域に設置された椅子、９０１は無線発着信抑止信号送信部１、９０２は無線発着信抑止信号送信部２、９０３は無線発着信抑止信号送信部３、である。
【００４５】
病院、航空機等、無線発着信を行うことにより、機器に影響を及ぼす施設内に、無線発着信抑止信号送信部１９０１、無線発着信抑止信号送信部２９０２、無線発着信抑止信号送信部３９０３、が設置された、椅子９を設置する。無線発着信抑止信号送信部１９０１、無線発着信抑止信号送信部２９０２、無線発着信抑止信号送信部３９０３は、永続的、ある一定間隔毎の断続的、もしくは携帯端末を認識したときのいずれかの方法で、無線発着信抑止信号を送信する。
【００４６】
携帯端末１は、通常動作時タイマ値に従い、図７には示されていない基地局との間で、定期的な同期処理を行っている。
【００４７】
携帯端末１は、施設内の椅子に近付く（座る）ことにより、無線発着信抑止信号送信部１９０１、無線発着信抑止信号送信部２９０２、無線発着信抑止信号送信部３９０３からの無線発着信抑止信号を受信し、無線発着信抑止状態に遷移し、同期処理を停止する。
【００４８】
携帯端末１は、施設内の椅子から遠ざかる（立ち上がる）ことにより、無線発着信抑止信号送信部１９０１、無線発着信抑止信号送信部２９０２、無線発着信抑止信号送信部３９０３からの無線発着信抑止信号を受信しなくなる（無線発着信抑止信号受信圏内から離れる）ことにより無線発着信抑止解除状態に遷移し、同期処理を再開する。
【００４９】
上記構成により、無線発着信を行うことにより、機器に影響を及ぼす施設内にて、ユーザの手を煩わすことなく、無線発着信を抑止することが可能となる。また、携帯端末における、無線発着信機能のみを抑止しているため、メール作成等のアプリケーションは問題なく使用することが出来る。
【００５０】
次に第２の実施の形態の携帯端末における他の動作フローの一例を、図８のフローチャートを用いて説明する。ステップＳ１０１にて動作が開始する。ステップＳ１０７にて制御部１０３は、無線発着信抑止信号受信部１０７からの出力信号により、無線発着信抑止状態か否かを判定する。無線発着信抑止状態である場合には、無線発着信抑止信号を受信しなくなるまで（無線発着信抑止状態でなくなるまで）Ｓ１０７にてループする。無線発着信抑止状態でない場合には、ステップＳ１０４へ進む。
【００５１】
ステップＳ１０４にて制御部１０３は、タイマ１０４にタイマ値をセットする。ステップＳ１０５にて制御部１０３は、タイマ１０４からのタイマ満了通知を待つ。タイマ満了通知を受信するまでＳ１０５にてループし、タイマ満了通知受信後、ステップＳ１０８へ進む。
【００５２】
ステップＳ１０８にて制御部１０３は、無線発着信抑止信号受信部１０７からの出力信号により、無線発着信抑止状態か否かを判定する。無線発着信抑止状態である場合には、無線発着信抑止信号を受信しなくなるまで（無線発着信抑止状態でなくなるまで）Ｓ１０８にてループする。無線発着信抑止状態でない場合には、ステップＳ１０８へ進む。
【００５３】
ステップＳ１０６にて制御部１０３は、無線部１０２を制御し、アンテナ１０１を介して、図５には示されていない基地局との間で同期処理を行い、ステップＳ１０７へと進み、動作が繰り返される。これら一連の動作により、図には示されていない基地局と、携帯端末１との間で定期的な同期処理が行われることを可能とする。
【００５４】
上記の制御を用いると、タイマ値設定後に、無線発着信抑止信号を受信した場合でも、無線発着信抑止信号を受信中は、携帯端末１と基地局との間の同期処理が停止するため、ユーザの手を煩わすことなく、利用禁止区域において、携帯端末の無線発着信を抑止することが出来るため、より柔軟なシステムを構築することが可能となる。
【００５５】
次に第３の実施の形態の携帯端末について、図９を用いて説明する。図９は本実施の形態の携帯端末とその着信通知方法の一例の概略構成図であり、図９において図１と同様の構成要素には同符号を付してあり、１０８はＬＣＤである。
【００５６】
制御部１０３は、図９には示されていない無線発着信抑止信号送信部から送信された、無線発着信抑止信号を受信しているか否か（無線発着信抑止場所か否か）を、無線発着信抑止／抑止解除信号受信部１０６からの出力信号により判定する。
【００５７】
通常動作時、アンテナ１０５では何も受信しておらず、無線発着信抑止／抑止解除信号受信部１０６からは、無線発着信抑止信号受信なし信号が出力されている（もしくはなにも出力されていないでも可）。制御部１０３はこの信号を受けて、タイマ１０４にタイマ値をセットするとともに、ＬＣＤ１０８に無線発着信抑止状態でないことを示す表示要求を出力する。タイマ１０４は、セットされたタイマ値に基づいて動作をし、タイマが満了した時点で、制御部１０３にタイマ満了を通知する。制御部１０３は、タイマ満了通知により無線部１０２を制御し、アンテナ１０１を介して、図９には示されていない基地局との間で同期処理を行う。この後、再び制御部１０３は、無線発着信抑止／抑止解除信号受信部１０６からの出力信号により、無線発着信抑止状態か否かを判定する。制御部１０３は、無線発着信抑止状態でないと判断すると、タイマ１０４にタイマ値をセットし、上記通常動作を繰り返す。これら一連の動作により、図９には示されていない基地局と、携帯端末１との間で定期的な同期処理が行われることを可能とする。
【００５８】
アンテナ１０５で、図９には示されていない無線発着信抑止信号送信部から送信された、無線発着信抑止信号を受信すると、無線発着信抑止状態に遷移する。
アンテナ１０５での無線発着信抑止信号受信を受けて、無線発着信抑止／抑止解除信号受信部１０６は、無線発着信抑止信号受信あり信号を出力する。制御部１０３はこの信号を受けると、無線発着信抑止／抑止解除信号受信部１０６からの無線発着信抑止解除信号受信（もしくは何も出力されていない状態検出でも可）待ちの状態になり、ＬＣＤ１０８に無線発着信抑止状態であることを示す表示要求を出力する。この間、制御部１０３は、無線発着信抑止／抑止解除信号受信部１０６からの無線発着信抑止解除信号を待ち続けるため、図５には示されていない基地局と、携帯端末１との間の同期処理が停止する。アンテナ１０５で、無線発着信抑止解除信号を受信すると、無線発着信抑止／抑止解除信号受信部１０６は、無線発着信抑止解除信号受信あり信号を出力する（もしくは何も出力されていないでも可）。制御部１０３はこの信号を受けて、タイマ１０４にタイマ値をセットするとともに、ＬＣＤ１０８に無線発着信抑止状態でないことを示す表示要求を出力する。タイマ１０４は、セットされたタイマ値に基づいて動作をし、タイマが満了した時点で、制御部１０３にタイマ満了を通知する。制御部１０３は、タイマ満了通知により無線部１０２を制御し、アンテナ１０１を介して、図９には示されていない基地局との間で同期処理を行う。この後、再び制御部１０３は、無線発着信抑止／抑止解除信号受信部１０６からの出力信号により、無線発着信抑止状態か否かを判定する。制御部１０３は、無線発着信抑止状態でないと判断すると、タイマ１０４にタイマ値をセットし、上記通常動作を繰り返す。これら一連の動作により、図９には示されていない基地局と、携帯端末１との間で、無線発着信抑止信号受信後、無線発着信抑止解除信号を受信するまで、同期処理を停止し、無線発着信抑止解除信号受信後には再び、定期的な同期処理が行われることを可能とする。
【００５９】
次に第４の実施の形態の携帯端末について、図１０を用いて説明する。図１０は本実施の形態の携帯端末とその着信通知方法の一例の概略構成図であり、図１０において図５と同様の構成要素には同符号を付してある。
【００６０】
制御部１０３は、図１０には示されていない無線発着信抑止信号送信部から送信された、無線発着信抑止信号を受信しているか否か（無線発着信抑止場所か否か）を、無線発着信抑止信号受信部１０７からの出力信号により判定する。
【００６１】
通常動作時、アンテナ１０５では無線発着信抑止信号を受信しておらず、無線発着信抑止信号受信部１０７からは、無線発着信抑止信号受信なし信号が出力されている（もしくはなにも出力されていないでも可）。制御部１０３はこの信号を受けて、タイマ１０４にタイマ値をセットするとともに、ＬＣＤ１０８に無線発着信抑止状態でないことを示す表示要求を出力する。タイマ１０４は、セットされたタイマ値に基づいて動作をし、タイマが満了した時点で、制御部１０３にタイマ満了を通知する。制御部１０３は、タイマ満了通知により無線部１０２を制御し、アンテナ１０１を介して、図１０には示されていない基地局との間で同期処理を行う。この後、再び制御部１０３は、無線発着信抑止信号受信部１０７からの出力信号により、無線発着信抑止状態か否かを判定する。制御部１０３は、無線発着信抑止状態でないと判断すると、タイマ１０４にタイマ値をセットし、上記通常動作を繰り返す。これら一連の動作により、図１０には示されていない基地局と、携帯端末１との間で定期的な同期処理が行われることを可能とする。
【００６２】
アンテナ１０５で、図１０には示されていない無線発着信抑止信号送信部から送信された、無線発着信抑止信号を受信すると、無線発着信抑止状態に遷移する。
【００６３】
アンテナ１０５での無線発着信抑止信号受信を受けて、無線発着信抑止信号受信部１０７は、無線発着信抑止信号受信あり信号を出力する。制御部１０３はこの信号を受けると、無線発着信抑止信号受信部１０７からの無線発着信抑止信号なし信号（もしくは何も出力されていない状態検出でも可）待ちの状態になり、ＬＣＤ１０８に無線発着信抑止状態であることを示す表示要求を出力する。この間、制御部１０３は、無線発着信抑止信号受信部１０７からの無線発着信抑止信号なし信号を待ち続けるため、図１０には示されていない基地局と、携帯端末１との間の同期処理が停止する。アンテナ１０５で、無線発着信抑止信号を受信しなくなる（無線発着信抑止信号受信圏内から離れる）と、無線発着信抑止信号受信部１０７は、無線発着信抑止信号受信なし信号を出力する（もしくは何も出力されていないでも可）。制御部１０３はこの信号を受けて、タイマ１０４にタイマ値をセットするとともに、ＬＣＤ１０８に無線発着信抑止状態でないことを示す表示要求を出力する。タイマ１０４は、セットされたタイマ値に基づいて動作をし、タイマが満了した時点で、制御部１０３にタイマ満了を通知する。制御部１０３は、タイマ満了通知により無線部１０２を制御し、アンテナ１０１を介して、図１０には示されていない基地局との間で同期処理を行う。この後、再び制御部１０３は、無線発着信抑止信号受信部１０７からの出力信号により、無線発着信抑止状態か否かを判定する。制御部１０３は、無線発着信抑止状態でないと判断すると、タイマ１０４にタイマ値をセットし、上記通常動作を繰り返す。これら一連の動作により、図１０には示されていない基地局と、携帯端末１との間で、無線発着信抑止信号受信後、無線発着信抑止解除信号を受信するまで、同期処理を停止し、無線発着信抑止解除信号受信後には再び、定期的な同期処理が行われることを可能とする。
【００６４】
第４の実施の形態の携帯端末における無線発着信抑止状態における画面イメージ図を図１１に示す。図１１において、１０は携帯端末１のＬＣＤである。無線発着信抑止状態時、圏外とは別の表記（例えば、図１１のように、アンテナ表記の上に×印）で無線発着信抑止状態であることをユーザに通知する。また、無線発着信抑止状態に遷移した際にメッセージを表示し、使用したい場合には屋外または通話可能領域への移動を促すことでユーザの利便性を向上することが出来る。
【００６５】
本発明を、第３世代移動通信システム（ＩＭＴ−２０００）の無線アクセスとして採用されている、符号分割多元接続（ＣＤＭＡ）方式に適用した場合、パイロットチャネルに無線発着信抑止／抑止解除信号を多重することにより実現可能である。以下にその概要に関して説明する。
【００６６】
携帯端末は通常動作時、パイロットチャネルにてＣＤＭＡの電波があることを認識すると、シンクチャネルにてタイミング調整を行い、ページングチャネルにて基地局との間の同期処理を行う。これらを５．１２秒に一回の割合で繰り返す。
【００６７】
パイロットチャネルにて、無線発着信抑止信号を受信すると、無線発着信抑止状態に遷移する。この間、シンクチャネルによるタイミング調整及び、ページングチャネルによる基地局との同期処理を停止する。
【００６８】
その後、パイロットチャネルにて、無線発着信抑止解除信号を受信（もしくは無線発着信抑止信号がなくなったことの検出）にて、シンクチャネルによるタイミング調整及び、ページングチャネルによる基地局との同期処理を再開し、通常処理へと復帰する。
【図面の簡単な説明】
【００６９】
【図１】第１の実施の形態の携帯端末の概略構成図。
【図２】第１の実施の形態の携帯端末の動作フローの一例の説明図。
【図３】第１の実施の形態の携帯端末の運用イメージの説明図。
【図４】第１の実施の形態の携帯端末における同期処理概略タイミング図。
【図５】第２の実施の形態の携帯端末の概略構成図。
【図６】第２の実施の形態の携帯端末の動作フロー図。
【図７】第２の実施の形態の携帯端末の運用イメージの説明図。
【図８】第２の実施の形態の携帯端末の動作フローの一例の図。
【図９】第３の実施の形態の携帯端末の概略構成図。
【図１０】第４の実施の形態の携帯端末の概略構成図。
【図１１】第４の実施の形態の携帯端末における画面イメージ図。
【符号の説明】
【００７０】
１…携帯端末
１０１…アンテナ
１０２…無線部
１０３…制御部
１０４…タイマ
１０５…アンテナ
１０６…無線発着信抑止／抑止解除信号受信部
１０７…無線発着信抑止信号受信部
１０８…ＬＣＤ
２…無線発着信抑止信号送信部
３…無線発着信抑止解除信号送信部
４…同期処理タイミング１
５…同期処理タイミング２
６…同期処理タイミング３
７…同期処理タイミング４
８…同期処理タイミング５
９…無線発着信利用禁止区域に設置された椅子
９０１…無線発着信抑止信号送信部１
９０２…無線発着信抑止信号送信部２
９０３…無線発着信抑止信号送信部３
【図１】
2005268865.tif 000003
【図２】
2005268865.tif 000004
【図３】
2005268865.tif 000005
【図４】
2005268865.tif 000006
【図５】
2005268865.tif 000007
【図６】
2005268865.tif 000008
【図７】
2005268865.tif 000009
【図８】
2005268865.tif 000010
【図９】
2005268865.tif 000011
【図１０】
2005268865.tif 000012
【図１１】
2005268865.tif 000013